(57)【特許請求の範囲】
【請求項１】
記録媒体に記録された少なくとも１つ以上の画像の画像データを取り込む画像入力手段と、前記画像入力手段によって取り込む画像データの画素数を検知する検知手段と、前記検出手段によって検知した画素数と、画像を印画又は表示する出力機器が必要とする画素数とに基づいて前記画像入力手段によって取り込む画像データを前記出力機器に出力した際に得られる画像の画質の良否を判定する判定手段と、前記画像入力手段によって取り込む画像データに基づいて画像を表示するとともに前記判定手段による判定結果を表示する表示手段と、前記画像データの出力を指示する指示手段と、前記指示手段の出力指示に基づいて前記画像データを前記出力機器に出力する画像出力手段と、を備えたことを特徴とする画像入出力装置。
【請求項２】
記録媒体に記録された少なくとも１つ以上の画像の画像データ及び該画像データに付随する分類情報を取り込む画像入力手段と、前記画像入力手段によって取り込む画像データの画素数を検知する検知手段と、前記検出手段によって検知した画素数と、画像を印画又は表示する出力機器が必要とする画素数とに基づいて前記画像入力手段によって取り込む画像データを前記出力機器に出力した際に得られる画像の画質の良否を判定する判定手段と、前記画像入力手段によって取り込む画像データに付随する分類情報を表示するとともに前記判定手段による判定結果を表示する表示手段と、前記画像データの出力を指示する指示手段と、前記指示手段の出力指示に基づいて前記画像データを前記出力機器に出力する画像出力手段と、を備えたことを特徴とする画像入出力装置。
【請求項３】
複数の印画又は表示する画像出力サイズの中から所望の画像出力サイズを選択する画像出力サイズ選択手段を有し、前記判定手段は、前記画像出力サイズ選択手段によって選択された画像出力サイズに応じて前記必要とされる画素数を変更して画質の良否を判定することを特徴とする請求項１又は２の画像入出力装置。
【請求項４】
前記表示手段は、複数の画像又は該複数の画像の分類情報を一覧表示するとともに、各画像ごとに前記判定手段による判定結果を表示することを特徴とする請求項１、２又は３の画像入出力装置。
【請求項５】
前記指示手段は、前記表示手段に一覧表示された画像又は画像の分類情報の中から前記出力機器に出力する１又は複数の画像を選択する画像選択手段を含む請求項４の画像入出力装置。
【請求項６】
前記画像データは、主画像データ及びサムネイル画像データのうちの少なくとも主画像データを含むことを特徴とする請求項１又は３乃至５の何れか１の画像入出力装置。
【請求項７】
前記画像入力手段は主画像と該主画像のサムネイル画像を入力し、前記表示手段は前記入力したサムネイル画像を表示し、前記検知手段は前記主画像の画素数を検知し、前記判定手段は前記検知した主画像の画素数と前記出力機器が必要とする画素数とに基づいて前記画像入力手段によって取り込む画像データを前記出力機器に出力した際に得られる画像の画質の良否を判定することを特徴とする請求項６の画像入出力装置。
【請求項８】
前記表示手段は、前記判定の結果、画質の粗さに応じて色及び文字及び記号のうちの少なくともいずれか１つ以上の画質に関する情報を表示することを特徴とする請求項１乃至７のいずれか１の画像入出力装置。
【請求項９】
前記表示手段は、前記判定の結果、画質の粗さに応じて赤、黄、青のうちの少なくとも２つ以上の色で分類表示することを特徴とする請求項１乃至８のいずれか１の画像入出力装置。
【請求項１０】
前記表示手段は、前記判定の結果、画質の粗さに応じて前記判定結果に枠を表示するとともに該枠を色で分類表示することを特徴とする請求項１乃至９のいずれか１の画像入出力装置。
【請求項１１】
前記表示手段は、前記判定の結果、解像度に応じて画像データの画素数が過大であること又は画像データの画素数が過少であること、又は、画像データを入力することが不可能であることのいずれかを表示することを特徴とする請求項１乃至１０のいずれか１の画像入出力装置。
【請求項１２】
前記出力機器は、少なくともプリンタ又はディスプレイ又はネットワーク上の機器のうちの何れか１つであることを特徴とする請求項１乃至１１のいずれか１の画像入出力装置。
【発明の詳細な説明】
【０００１】
【発明の属する技術分野】
本発明は画像入出力装置に係り、特に、店頭やアミューズメント施設等に設置されるセルフ操作のプリント画像出力機器を用いてプリント画像を選択する際に、画像データの解像度に応じて予想されるプリント画像の解像度を色で分類して表示する画像入出力装置に関する。
【０００２】
【従来の技術】
画像データを入力するためのメモリカード入力部などの画像入力部を含み、該画像入力部に準備された記憶媒体に記録されている複数のデジタル画像データを確認して選択するためにサムネイル画像を表示して、ユーザーが表示されたサムネイル画像の中からプリントする画像ファイルを選択し、選択された画像データを印刷して出力するプリント画像出力装置が従来から知られている。
【０００３】
また、特開平１１−１４６３１３号の公報には、画像を印刷する情報処理装置において、ユーザーが選択を終了したサムネイル画像の色を変えてユーザーに該画像ファイルが選択されたことを知らせる情報処理装置が示されている。
【０００４】
また、インターネットのホームページの閲覧ソフトでは、送信されてきたサムネイル画像のそばに画像のサイズや画像ファイルの容量を記載して、ダウンロード時間の目安としたり、画像ファイルのダウンロード前には表示されているサムネイル画像の枠を青色で表示しておき、該画像ファイルのダウンロード後には紫色に表示して、ユーザーにダウンロードが終了したファイルであることを知らせる技術も知られている。
【０００５】
【発明が解決しようとする課題】
しかしながら、デジタルカメラで撮影した画像データをプリントする場合には、入力画像データを元にプリントサイズに応じた画像の拡大や縮小などのサイズ変更処理が行われるが、指定されたプリントサイズにはどれくらいの画素が必要であるかの判断は一般にユーザーにはわからない。例えば、ＶＧＡ〔６４０（ｐｉｘｅｌ）×４８０（ｐｉｘｅｌ）〕相当の解像度を持つ入力画像データを、プリント用紙サイズＡ４版相当に３００（ｄｐｉ）でプリントすると２５０４（ｐｉｘｅｌ）×３５３２（ｐｉｘｅｌ）もの解像度が必要で、あまりにも解像度が低すぎて粗いプリントになり観賞に耐えないプリント画像となってしまう。
【０００６】
また、前記ＶＧＡ相当の画像データをポストカードサイズ１２４２（ｐｉｘｅｌ）×１８３２（ｐｉｘｅｌ）へのフルサイズ出力のプリントであっても高画質のプリント画像とは言いがたい。このようにプリントサイズに対して十分な画素数を持たない入力画像データでは、プリントに際して補間処理を施しても仕上がり画質は見劣りする画質となる。そしてユーザーが画像選択時に見ているサムネイル画像では、あまりにも画素数が少なすぎてプリント時の画質までは判断することができなかった。
【０００７】
本発明はこのような事情に鑑みてなされたもので、写真画像データの画質、画素、解像度についての専門知識がないユーザーであっても、プリントサイズに合った解像度を持つ画像ファイルを容易に選択することが可能な画像入出力装置を提供することを目的としている。
【０００８】
【課題を解決するための手段】
本発明は前記目的を達成するために、記録媒体に記録された少なくとも１つ以上の画像の画像データ又は該画像データに付随する分類情報を取り込む画像入力手段と、前記画像入力手段によって取り込む画像データの画素数を検知する検知手段と、前記検出手段によって検知した画素数と画像を印画又は表示する機器が必要とする画素数とに基づいて前記画像入力手段によって取り込む画像データを前記表示する機器に出力した際に得られる画像の画質の良否を判定する判定手段と、前記画像入力手段によって取り込む画像データ又は該画像データに付随する分類情報を表示するとともに前記判定手段による判定結果を表示する表示手段と、前記画像出力手段への画像データの出力を指示する指示手段と、前記指示手段の出力指示に基づいて前記画像データを出力機器に出力する画像出力手段とを備えたことを特徴としている。
【０００９】
本発明によれば、記録媒体に記録された少なくとも１つ以上の画像の画像データ又は該画像データに付随する分類情報を取り込む画像入力手段と、前記画像入力手段によって取り込む画像データの画素数を検知する検知手段と、前記検出手段によって検知した画素数と画像を印画又は表示する機器が必要とする画素数とに基づいて前記画像入力手段によって取り込む画像データを前記表示する機器に出力した際に得られる画像の画質の良否を判定する判定手段と、前記画像入力手段によって取り込む画像データ又は該画像データに付随する分類情報を表示するとともに前記判定手段による判定結果を表示する表示手段と、前記画像出力手段への画像データの出力を指示する指示手段と、前記指示手段の出力指示に基づいて前記画像データを出力機器に出力する画像出力手段とを備えたので、写真画像データの画質、画素、解像度についての専門知識がないユーザーであっても、プリントサイズに合った解像度を持つ画像ファイルを容易に選択することが可能となる。
【００１０】
【発明の実施の形態】
以下添付図面に従って本発明に係る画像入出力装置の好ましい実施の形態について詳説する。
【００１１】
図１は本発明に係る画像入出力装置のブロック図である。
【００１２】
同図に示すように、この画像入出力装置１０には、原画像であるプリント１２の画像をデータ化して入力するための入力手段であるプリントスキャナー１４と、フイルム１６の画像をデータ化して入力するための入力手段であるフイルムスキャナー１８と、ＣＤ−ＲＯＭ又はＣＤ−Ｒ等のＣＤ２０に記録されている画像データを読み込むとともに画像データをＣＤ２０に出力することが可能なＣＤドライブ２２と、半導体記録媒体であるＰＣ−ＣＡＲＤ２４に記録されている画像データを読み込むとともに画像データをＰＣ−ＣＡＲＤ２４に出力することが可能なＰＣ−ＣＡＲＤリーダ・ライタ２６と、磁気記録媒体であるＺＩＰ２８に記録されている画像データを読み込むとともに画像データをＺＩＰ２８に出力することが可能なＺＩＰドライブ３０と、磁気記録媒体であるフロッピーディスク３２に記録されている画像データを読み込むとともに画像データをフロッピーディスク３２に出力することが可能なフロッピーディスクドライブ３４とが備えられている。
【００１３】
また、画像入出力装置１０には、デジタル信号の入出力を行うポートであるＩ／Ｏポート３６と、本機をＬＡＮやＥｔｈｅｒｎｅｔ等のネットワークに接続して画像データその他のデータを入出力するためのインターフェースであるネットワークＩ／Ｆ３８と、プリントする画像のファイル名やプリントサイズ等の情報をバーコードにて出力するバーコードプリンタ４０と、ユーザーに対して表示を行うとともにユーザーが指示する画像やアイコンの選択を入力する表示・入力手段であるタッチスクリーン４２と、画像データ等のデータを電話回線を経由して他の機器に入出力するためのインターフェースであるモデム４４と、画像を印刷するローカルプリンタ４６と、本画像入出力装置１０を統括して制御を行うとともに画像データの画素数や観賞時の画像サイズ、画素数を検知したり、プリント画質に関する計算や判定、該判定結果の表示の指令を行う情報処理装置４８とが設けられている。情報処理装置４８は、一般にコンピュータと称するプロセッサや記憶手段を含む装置であればよい。なお、前記記憶手段は、画像データや画像の解像度、プリント時の解像度に関する情報も記憶することが可能である。
【００１４】
上記のように構成された画像入出力装置１０の操作手順について以下に説明する。
【００１５】
ユーザーは、本画像入出力装置１０のユーザーインターフェースであるタッチスクリーン４２に表示されている選択肢の中から、希望に則した項目を選択して対話形式で処理項目を設定してゆく。
【００１６】
図２は、画像入出力装置１０のタッチスクリーン４２に表示される画像ソース選択画面を示す図である。
【００１７】
同図に示す画像ソース選択画面６０は初期画面であり、ユーザーが入力する画像データのソースを選択する画面である。本画面でユーザーが選択したソースの情報は、情報処理装置４８の内部に記憶される。
【００１８】
画像ソース選択画面６０には、プリントスキャナー１４にプリント１２を装填してプリント１２から画像を読み込む手段を選択するプリント入力アイコン６１と、フイルムスキャナー１８にフイルム１６を装填してフイルム１６から画像を読み込む手段を選択するフイルム入力アイコン６２と、ＰＣ−ＣＡＲＤ２４に記録されている電子カメラで撮影した画像データを読み込む手段を選択するＰＣ−ＣＡＲＤ入力アイコン６３と、ＣＤ２０に記録されている画像データを読み込む手段を選択するＣＤ入力アイコン６４と、ＺＩＰ２８のディスクに記録されている画像データを読み込む手段を選択するＺＩＰ入力アイコン６５と、フロッピーディスク３２に記録されている画像データを読み込む手段を選択するフロッピーディスク入力アイコン６６と、インターネット上から画像データをダウンロードして読み込む手段を選択するインターネットダウンロード入力アイコン６７と、将来に入力手段が拡張された場合に使用する未定義アイコン６８とが表示されている。
【００１９】
ユーザーは、上記の未定義アイコン６８以外の画像入力手段を示すアイコンを触ることによって、画像ソースを選択することが可能となっている。画像ソースを選択すると、図３に示す表示が現れる。本実施例では、ＰＣ−ＣＡＲＤ入力アイコン６３を選択した例で説明する。
【００２０】
また、画像ソース選択画面６０には、画像入出力装置１０の操作方法を表示するためのヘルプボタン６９が設けられている。ユーザーがヘルプボタン６９に触ると、画像入出力装置１０及び画像ソース選択画面６０の利用方法が記載された表示に変わる。
【００２１】
図３は、画像入出力装置１０のタッチスクリーン４２に表示される画像出力指示手段選択画面を示す図である。
【００２２】
同図に示す画像出力指示手段選択画面７０は、画像データを出力する出力機器や出力方法、所望の画像出力サイズを指示選択する画面である。本画面でユーザーが指示選択した画像出力に関する情報は、情報処理装置４８の内部に記憶される。
【００２３】
画像出力指示手段選択画面７０には、選択した画像の画像データをプリンタに出力して８（インチ）×１０（インチ）のサイズにプリントする８×１０プリントアイコン７１と、選択した一つの画像を複数プリントするパッケージプリントアイコン７２と、選択した複数の画像をまとめてプリントするマルチイメージパッケージプリントアイコン７３と、選択した画像データをフロッピーディスク３２に出力して記録するフロッピーディスク記録アイコン７４と、選択した画像データをＺＩＰ２８に出力して記録するＺＩＰ記録アイコン７５と、選択した画像を３．５（インチ）×５（インチ）のサイズの用紙にプリントする３．５×５プリントアイコン７６と、選択した画像を任意のサイズに拡大プリントする拡大プリントアイコン７７と、選択した画像データをＣＤ−Ｒに出力して記録するＣＤ−Ｒ記録アイコン７８と、インターネット上に画像データをアップロードして出力する手段を選択するインターネットアップロード出力アイコン７９とが表示されている。
【００２４】
ユーザーは、上記の画像出力手段を示すアイコンを触ることによって、画像データの出力手段を指示選択することが可能となっている。ここで画像をプリント出力する手段（例えば３．５×５プリントアイコン７６）を指示選択すると、図４に示す表示が現れる。
【００２５】
また、画像出力指示手段選択画面７０には、前の選択画面（画像ソース選択画面６０）を再表示する前画面表示ボタン８０と、処理を終了する終了ボタン８１とが設けられている。
【００２６】
図４は、画像入出力装置１０のタッチスクリーン４２に表示される画像入力の手順画面を示す図である。
【００２７】
本実施例ではＰＣ−ＣＡＲＤ２４に記録されている画像データを読み込む手段を選択したので、画像入力の手順画面８２はＰＣ−ＣＡＲＤ２４に関する手順や情報が示されている。半導体の記憶媒体は用途に応じて複数のメディアが存在するので、メディアに応じた使用方法が示されている。例えばＰＣＭＣＩＡ規格に準ずる記録媒体を利用する場合にはＰＣ−ＣＡＲＤ利用挿絵８３を参考にＰＣ−ＣＡＲＤ２４をＰＣ−ＣＡＲＤリーダ・ライタ２６に挿入する。また、スマートメディアを利用する場合にはスマートメディア利用挿絵８４を、コンパクトフラッシュを利用する場合にはコンパクトフラッシュ利用挿絵８５を参考にする。
【００２８】
半導体の記録媒体をセットして画像入力の準備が終了したら、主画像データを読み込む処理を開始するスタートボタン８６に触れ、指定された記録媒体に記録されている複数の画像データのサムネイル画像と主画像サイズ等の付随する情報を読み込み記憶する処理を開始する。すると、図５に示す画面が表示される。
【００２９】
図５は、本発明に係るプリント画像の解像度を色で識別する画像入出力装置１０におけるプリント画像選択画面９０の表示の形態を示す図である。
【００３０】
同図のプリント画像選択画面９０には、プリント画像の解像度を縁取りの色で識別するサムネイル画像群９２が一覧表示されている。また、全ての画像をプリントすることを指定する全画像選択ボタン９３と、全ての画像をプリントしないことを指定する全画像非選択ボタン９４と、選択した画像の数量を表示する選択画像数表示部９５と、記録媒体から読み込んだ画像ファイルのリストを表示する画像ファイルリスト表示ボタン９６と、プリントする画像の選択が終了して本画像データの読み込みを開始する設定完了ボタン９７と、前画面と同様にプリント画像選択画面９０の操作方法を表示するためのヘルプボタン６９と、前の選択画面（画像入力の手順画面８２）を再表示する前画面表示ボタン８０と、処理を終了する終了ボタン８１とが設けられている。
【００３１】
ユーザーが同図のサムネイル画像の部分に触れることによって、画像入出力装置１０はユーザーがプリントをする画像ファイルを選択したと判断し、本画面でユーザーが選択した画像ファイルの選択情報は情報処理装置４８の内部に記憶される。
【００３２】
サムネイル画像群９２には、黒い縁取りがなされているとともに画像データを正常に読み込むことができない画像データである旨の表示がなされている異常表示１０２と、黒い縁取りがなされているとともに画像データの画素数が過少すぎてプリントには全く不適切である旨の表示がなされている過少表示１０９と、黒い縁取りがなされているとともに画像データの画素数が過大すぎて処理時間がかかる可能性や、各装置に異常が発生する可能性がある旨の表示がなされている過大表示１０７とが表示されている。
【００３３】
また、画像データの画素数がプリントサイズに対して不足しているためプリント時に解像度の粗さが目立つことを示す赤色の縁取りがなされている赤枠サムネイル画像１０１、１０５、１１１と、画像データの画素数がプリントサイズに対してやや不足しているためプリント時に解像度の粗さがやや目立つことを示す黄色の縁取りがなされている黄枠サムネイル画像１００、１０４、１０８と、画像データの画素数がプリントサイズに対して十分であるためプリント時に解像度の粗さが目立たない良好な画像が得られることを示す青色の縁取りがなされている青枠サムネイル画像１０３、１０６、１１０とが表示されている。
【００３４】
上記のように、サムネイル画像をプリント時の解像度の粗さに応じて画質の良否を判定し色分けすることによって、ユーザーは容易にプリント時における画像の解像度の粗さを知ることが可能となる。従ってユーザーは、プリントサイズと主画像データの画素数との関係を認識すること無しに、適切な画像を選択することができる。
【００３５】
なお、上記に示したようにサムネイル画像を表示するのではなく、画像のファイル名等の分類情報を表示して、該文字色や枠等を設けて色分けしてもよいし、更には色分けせずに記号や文字等で解像度の粗さを表示しても本発明の目的は達成される。
【００３６】
図６に、画像データの画素数とプリントサイズに応じた解像度の粗さの判定結果（サムネイル画像の枠色決定結果）を示す。
【００３７】
同図に示すように、画像データを正常に読み込むことができない場合には黒枠を表示するとともに異常表示を行う。画像データの画素数が過少すぎてプリントには全く不適切である場合には黒枠を表示するとともに過少表示を行う。画像データの画素数が過大すぎて処理時間がかかる可能性や、各装置に異常が発生する可能性がある場合には黒枠を表示するとともに過大表示を行う。画像データの画素数がプリントサイズに対して不足しているためプリント時に解像度の粗さが目立つ場合には（図６中における「可」で表されている部分）サムネイル画像に赤枠の表示を行う。画像データの画素数がプリントサイズに対してやや不足しているためプリント時に解像度の粗さがやや目立つ場合には（図６における「良」で表されている部分）サムネイル画像に黄枠の表示を行う。画像データの画素数がプリントサイズに対して十分であるためプリント時に解像度の粗さが目立たない良好な画像が得られる場合には（図６中における「優」で表されている部分）サムネイル画像に青枠の表示を行う。これらの判定は情報処理装置４８が行う。
【００３８】
なお、プリント画像の解像度の粗さや画質の良否の判定基準に、利用するプリンタや表示画面の解像度のパラメータを採用してもよい。この場合には、例えば下記に示す判定基準を設けて判定して表示する。
【００３９】
【数１】
ＦＤ＞３×ＰＤ  …過大（黒枠表示及び過大表示）
３×ＰＤ≧ＦＤ≧ＰＤ      …優  （青枠表示）
ＰＤ＞ＦＤ≧ＰＤ／２  …良  （黄枠表示）
ＰＤ／２＞ＦＤ≧ＰＤ／１０…可  （赤枠表示）
ＦＤ＜ＰＤ／１０…過少（黒枠表示及び過少表示）
但し、ＰＤ：プリント画面の総解像度（プリンタの解像度×プリント面積）
ＦＤ：画像データの総解像度
なお、プリント１２の画像をプリントスキャナー１４で読み込んだ場合や、フイルム１６の画像をフイルムスキャナー１８で読み込んだ場合には、このとき読み込んだ画像の大きさと、プリントスキャナー１４やフイルムスキャナー１８の解像度とを画像データの付随情報として情報処理装置４８が記憶しておき、プリント画像の解像度の判定基準として用いる。
【００４０】
図５のプリント画像選択画面９０に表示されている、青枠サムネイル画像１０６と赤枠サムネイル画像１１１とは同じ被写体を撮影した画像のサムネイル画像であるので、一見どちらをプリントしても支障は無いように見受けられる。しかし、青枠サムネイル画像１０６の主画像データの画素数は１８００（Ｐｉｘｅｌ）×１２００（Ｐｉｘｅｌ）の高画素で記録されているので３．５（インチ）×４（インチ）のプリントを行うにあたって良好な解像度でプリント可能であるが、赤枠サムネイル画像１１１の主画像データの画素数は３２０（Ｐｉｘｅｌ）×２００（Ｐｉｘｅｌ）の低画素で記録されているので３．５（インチ）×４（インチ）のプリントを行うにあたっては解像度の粗さが目立つプリントとなってしまうような場合においても、ユーザーはサムネイル画像の枠の色を見るだけで容易にプリント解像度の粗さを予想することが可能となる。
【００４１】
上記のようにして、プリント画像選択画面９０を見ながらプリントする画像の選択が終了すると、図７に示すコマーシャル画面１２０が表示されて、画像入出力装置１０は選択した画像ファイルの主画像データを読み込む処理を実行する。一般に画像データの容量は多いので、読み込み終了までかかる時間をバーグラフ１２２等で表示してユーザーに知らせる。指定された全ての画像ファイルの読み込みが終了すると、図８に示す選択済画像表示画面１３０が表示される。
【００４２】
図８は、プリント画像選択画面９０で選択した画像のみを表示する選択済画像表示画面１３０を示す図である。
【００４３】
同図の選択済画像表示画面１３０には、選択した画像のサムネイル画像１３１と、プリント枚数を入力するプリント枚数入力ボタン１３２と、選択された画像の数量を表示する数量表示部１３３と、プリントする画像を赤目解消やトリミング、モノトーン変換、画像の移動、画像の回転、テンプレート画像との合成等の修正する場合において画像修正画面を呼び出すための画像修正ボタン１３４と、画像のプリント開始又はプリント条件設定結果を出力するプリント開始ボタン１３５と、前表示画面であるプリント画像選択画面９０を再表示するための画像再選択ボタン１３６と、指定されたプリント枚数を表示するプリント枚数表示部１３７と、以前の画面と同様に選択済画像表示画面１３０の操作方法を表示するためのヘルプボタン６９と、処理を終了する終了ボタン８１とが示されている。
【００４４】
同図の選択済画像表示画面１３０では、プリント枚数入力ボタン１３２を操作してプリント枚数を指定し、プリント開始ボタン１３５を押してプリントの開始を指定する。すると図９に示すコマーシャル画面１４０が表示される。
【００４５】
図９は、プリントする画像の転送中に表示されるコマーシャル画面１４０である。一般に主画像データの容量は多く、主画像データの転送には時間を要するので、要する時間をバーグラフ１４２等で表示してユーザーに知らせる。指定された全ての画像ファイルの転送が終了すると、ローカルプリンタ４６からユーザーが指定した画像が指定した枚数プリント出力される。
【００４６】
なお、ローカルプリンタ４６からプリント出力する代わりに、図１に示すモデム４４やネットワークＩ／Ｆ３８を経由して、プリントラボ等の離れた場所に備えてあるネットワークプリントサーバーにプリントデータを転送し、ネットワークプリンタからユーザーが指定した画像がプリント出力してもよい。このように離れた場所からプリント出力する場合には、画像入出力装置１０からはユーザーに対してプリント出力する画像の識別情報がバーコードで記録されたカードをバーコードプリンタ４０から出力する。ユーザーがこの出力されたカードを指定された窓口に持っていくと、ネットワークプリンタから出力されたプリントを代金と引き換えに受け取ることができる。
【００４７】
また、ローカルプリンタ４６や前記ネットワークプリントサーバーに主画像データを転送して画像をプリント出力する代わりに、インターネット上のサーバーにユーザーが指示した表示に適した解像度を持つ主画像データを転送したり、ディスプレイ上に主画像を表示しても、本発明の目的は達成される。
【００４８】
【発明の効果】
以上説明したように本発明に係る画像入出力装置によれば、記録媒体に記録された少なくとも１つ以上の画像の画像データ又は該画像データに付随する分類情報を取り込む画像入力手段と、前記画像入力手段によって取り込む画像データの画素数を検知する検知手段と、前記検出手段によって検知した画素数と画像を印画又は表示する機器が必要とする画素数とに基づいて前記画像入力手段によって取り込む画像データを前記表示する機器に出力した際に得られる画像の画質の良否を判定する判定手段と、前記画像入力手段によって取り込む画像データ又は該画像データに付随する分類情報を表示するとともに前記判定手段による判定結果を表示する表示手段と、前記画像出力手段への画像データの出力を指示する指示手段と、前記指示手段の出力指示に基づいて前記画像データを出力機器に出力する画像出力手段とを備えたので、写真画像データの画質、画素、解像度についての専門知識がないユーザーであっても、プリントサイズに合った解像度を持つ画像ファイルを容易に選択することが可能となる。
【図面の簡単な説明】
【図１】本発明に係る画像入出力装置のブロック図
【図２】画像入出力装置のタッチスクリーンに表示される画像ソース選択画面を示す図
【図３】タッチスクリーンに表示される画像出力指示手段選択画面を示す図
【図４】画像入出力装置のタッチスクリーンに表示される画像入力の手順画面を示す図
【図５】本発明に係るプリント画像の解像度を色で識別するプリント画像選択画面の表示の形態を示す図
【図６】画像データの画素数とプリントサイズに応じた解像度の粗さの判定結果を示す図
【図７】画像ファイルの主画像データを読み込む処理中に表示されるコマーシャル画面を示す図
【図８】プリント画像選択画面で選択した画像のみを表示する選択済画像表示画面を示す図
【図９】プリントする画像データを転送中に表示されるコマーシャル画面を示す図
【符号の説明】
１０…画像入出力装置、１２…プリント、１４…プリントスキャナー、１６…フイルム、１８…フイルムスキャナー、２０…ＣＤ、２２…ＣＤドライブ、２４…ＰＣ−ＣＡＲＤ、２６…ＰＣ−ＣＡＲＤリーダ・ライタ、２８…ＺＩＰ、３０…ＺＩＰドライブ、３２…フロッピーディスク、３４…フロッピーディスクドライブ、３８…ネットワークＩ／Ｆ、４０…バーコードプリンタ、４２…タッチスクリーン、４４…モデム、４６…ローカルプリンタ、４８…情報処理装置、９０…プリント画像選択画面、９２…サムネイル画像群、９５…選択画像数表示部、９６…画像ファイルリスト表示ボタン、９７…設定完了ボタン、１００…黄枠サムネイル画像、１０１…赤枠サムネイル画像、１０２…異常表示、１０３…青枠サムネイル画像、１０４…黄枠サムネイル画像、１０５…赤枠サムネイル画像、１０６…青枠サムネイル画像、１０７…過大表示、１０８…黄枠サムネイル画像、１０９…過少表示、１１０…青枠サムネイル画像、１１１…赤枠サムネイル画像、１３０…選択済画像表示画面、１３１…サムネイル画像、１３２…プリント枚数入力ボタン、１３５…プリント開始ボタン
【図１】
0003844039.tif 000002
【図２】
0003844039.tif 000003
【図３】
0003844039.tif 000004
【図４】
0003844039.tif 000005
【図５】
0003844039.tif 000006
【図６】
0003844039.tif 000007
【図７】
0003844039.tif 000008
【図８】
0003844039.tif 000009
【図９】
0003844039.tif 000010